(57)【要約】      （修正有）【課題】接地時に足にかかる衝撃を素早く吸収することができる履物を提供する。【解決手段】履物Ａのミッドソール３は、アウトソール１上に設けられた下側部材３１と、その上方に間隔をあけて設けられ該下側部材３１に略平行な上側部材３２と、下側部材３１の前端近傍に位置し、該下側部材３１と上側部材３２とを繋ぐように該下側部材３１上に立設した前方支持部材３３と、下側部材３１の後端近傍に位置し、該下側部材３１と上側部材３２とを繋ぐように該下側部材３１上に立設した後方支持部材３４と、前方支持部材３３と後方支持部材３４との間に形成され、アウトソール１の長手方向を横断すると共に略水平方向に貫通する間隙３６とを有し、前方支持部材３３および後方支持部材３４のそれぞれは、上側部材３２と下側部材３１との間において内足側から外足側に亘って設けられている。【選択図】図５
2010253128.tif 000002
【特許請求の範囲】
【請求項１】
アウトソールと、
このアウトソール上方に設けられたインソールと、
このインソールと前記アウトソールとの間であって少なくとも踵部に位置する部位に設けられたミッドソールとを備え、
このミッドソールは、
前記アウトソール上に設けられた下側部材と、
この下側部材上方に間隔をあけて設けられ該下側部材に略平行な上側部材と、
前記下側部材の前端近傍に位置し、該下側部材と前記上側部材とを繋ぐように該下側部材上に立設した前方支持部材と、
前記下側部材の後端近傍に位置し、該下側部材と前記上側部材とを繋ぐように該下側部材上に立設した後方支持部材と、
前記前方支持部材と前記後方支持部材との間に形成され、前記アウトソールの長手方向を横断すると共に略水平方向に貫通する間隙とを有し、
前記下側部材、前記上側部材、前記前方支持部材および前記後方支持部材は、可撓性を有する材料により形成され、
前記前方支持部材および前記後方支持部材のそれぞれは、前記上側部材と前記下側部材との間において内足側から外足側に亘って設けられていることを特徴とする履物。
【請求項２】
アウトソールと、
このアウトソール上方に設けられたインソールと、
このインソールと前記アウトソールとの間であって少なくとも踵部に位置する部位に設けられたミッドソールとを備え、
このミッドソールは、
前記アウトソール上に設けられた下側部材と、
この下側部材上方に間隔をあけて設けられ該下側部材に略平行な上側部材と、
前記下側部材の前端近傍に位置し、該下側部材と前記上側部材とを繋ぐように該下側部材上に立設した前方支持部材と、
前記下側部材の後端近傍に位置し、該下側部材と前記上側部材とを繋ぐように該下側部材上に立設した後方支持部材と、
前記前方支持部材と前記後方支持部材との間に位置し、前記下側部材と前記上側部材とを繋ぐように該下側部材上に立設した一または二以上の中間支持部材と、
前記前方支持部材、前記後方支持部材および前記中間支持部材の内、隣り合う部材どうしの間に形成され、前記アウトソールの長手方向を横断すると共に略水平方向に貫通する間隙とを有し、
前記下側部材、前記上側部材、前記前方支持部材、前記後方支持部材および前記中間支持部材は、可撓性を有する材料により形成され、
前記前方支持部材および前記後方支持部材のそれぞれは、前記上側部材と前記下側部材との間において内足側から外足側に亘って設けられ、
前記中間支持部材は、前記上側部材と前記下側部材との間において外足側または内足側に片寄せて設けられていることを特徴とする履物。
【請求項３】
アウトソールと、
このアウトソール上方に設けられたインソールと、
このインソールと前記アウトソールとの間であって少なくとも踵部に位置する部位に設けられたミッドソールとを備え、
このミッドソールは、
前記アウトソール上に設けられた下側部材と、
この下側部材上方に間隔をあけて設けられ該下側部材に略平行な上側部材と、
前記下側部材の前端近傍に位置し、該下側部材と前記上側部材とを繋ぐように該下側部材上に立設した前方支持部材と、
前記下側部材の後端近傍に位置し、該下側部材と前記上側部材とを繋ぐように該下側部材上に立設した後方支持部材と、
前記前方支持部材と前記後方支持部材との間に位置し、前記下側部材と前記上側部材とを繋ぐように該下側部材上に立設した一または二以上の中間支持部材と、
前記前方支持部材、前記後方支持部材および前記中間支持部材の内、隣り合う部材どうしの間に形成され、前記アウトソールの長手方向を横断すると共に略水平方向に貫通する間隙とを有し、
前記下側部材、前記上側部材、前記前方支持部材、前記後方支持部材および前記中間支持部材は、可撓性を有する材料により形成され、
前記前方支持部材、前記後方支持部材および前記中間支持部材のそれぞれは、前記上側部材と前記下側部材との間において内足側から外足側に亘って設けられ、
前記後方支持部材と、この後方支持部材に隣り合う前記中間支持部材との間に形成される間隙の前記アウトソールの長手方向に沿った寸法は、前記中間支持部材と前記前方支持部材の内、隣り合う部材どうしの間に形成される間隙の前記アウトソールの長手方向に沿った寸法よりも長いことを特徴とする履物。
【請求項４】
上側部材および下側部材は、アウトソールの長手方向に沿ってアーチ状に形成されていることを特徴とする請求項１〜３のいずれか１項記載の履物。
【発明の詳細な説明】
【技術分野】
【０００１】
本発明は、地面への接地時に足にかかる衝撃を吸収する履物に係り、特に、ミッドソールに可撓性を有する上側部材と下側部材とを設け、これら上側部材と下側部材との間に間隙を形成し、迅速に衝撃の吸収および復元をするものに関する。
【背景技術】
【０００２】
従来、履物を履いて歩行するときに足にかかる衝撃を吸収し、足への負担を軽減するものとして、例えば、サンダル台の踵部に適度な弾力性と柔軟性を有する緩衝スペーサを設け、接地時にあっては体重がかかると緩やかに変形して薄くなり、離地時にあっては荷重の解除により徐々に復元するような履物が開示されている（例えば、特許文献１の図１参照）。
【先行技術文献】
【特許文献】
【０００３】
【特許文献１】特開２００４−２１６０８１号公報
【発明の概要】
【発明が解決しようとする課題】
【０００４】
しかしながら、上述したような履物にあっては、緩衝スペーサは発泡ポリウレタンなどの発泡体により形成されており、この発泡体空孔内の空気抜けによる収縮変形により衝撃を吸収させる分、該変形に時間を要し、急激な衝撃に迅速に対応できないばかりか、一度収縮変形した発泡体の空孔への空気の充填に時間がかかる分、復元にも時間がかかり、次回接地時の衝撃吸収に迅速かつ確実に対応することができないという問題点があった。
【０００５】
本発明は、上述した問題点を解決するためになされたものである。
【課題を解決するための手段】
【０００６】
請求項１に係る発明は、アウトソールと、このアウトソール上方に設けられたインソールと、このインソールと前記アウトソールとの間であって少なくとも踵部に位置する部位に設けられたミッドソールとを備え、このミッドソールは、前記アウトソール上に設けられた下側部材と、この下側部材上方に間隔をあけて設けられ該下側部材に略平行な上側部材と、前記下側部材の前端近傍に位置し、該下側部材と前記上側部材とを繋ぐように該下側部材上に立設した前方支持部材と、前記下側部材の後端近傍に位置し、該下側部材と前記上側部材とを繋ぐように該下側部材上に立設した後方支持部材と、前記前方支持部材と前記後方支持部材との間に形成され、前記アウトソールの長手方向を横断すると共に略水平方向に貫通する間隙とを有し、前記下側部材、前記上側部材、前記前方支持部材および前記後方支持部材は、可撓性を有する材料により形成され、前記前方支持部材および前記後方支持部材のそれぞれは、前記上側部材と前記下側部材との間において内足側から外足側に亘って設けられている履物である。
【０００７】
請求項２に係る発明は、アウトソールと、このアウトソール上方に設けられたインソールと、このインソールと前記アウトソールとの間であって少なくとも踵部に位置する部位に設けられたミッドソールとを備え、このミッドソールは、前記アウトソール上に設けられた下側部材と、この下側部材上方に間隔をあけて設けられ該下側部材に略平行な上側部材と、前記下側部材の前端近傍に位置し、該下側部材と前記上側部材とを繋ぐように該下側部材上に立設した前方支持部材と、前記下側部材の後端近傍に位置し、該下側部材と前記上側部材とを繋ぐように該下側部材上に立設した後方支持部材と、前記前方支持部材と前記後方支持部材との間に位置し、前記下側部材と前記上側部材とを繋ぐように該下側部材上に立設した一または二以上の中間支持部材と、前記前方支持部材、前記後方支持部材および前記中間支持部材の内、隣り合う部材どうしの間に形成され、前記アウトソールの長手方向を横断すると共に略水平方向に貫通する間隙とを有し、前記下側部材、前記上側部材、前記前方支持部材、前記後方支持部材および前記中間支持部材は、可撓性を有する材料により形成され、前記前方支持部材および前記後方支持部材のそれぞれは、前記上側部材と前記下側部材との間において内足側から外足側に亘って設けられ、前記中間支持部材は、前記上側部材と前記下側部材との間において外足側または内足側に片寄せて設けられている履物である。
【０００８】
請求項３に係る発明は、アウトソールと、このアウトソール上方に設けられたインソールと、このインソールと前記アウトソールとの間であって少なくとも踵部に位置する部位に設けられたミッドソールとを備え、このミッドソールは、前記アウトソール上に設けられた下側部材と、この下側部材上方に間隔をあけて設けられ該下側部材に略平行な上側部材と、前記下側部材の前端近傍に位置し、該下側部材と前記上側部材とを繋ぐように該下側部材上に立設した前方支持部材と、前記下側部材の後端近傍に位置し、該下側部材と前記上側部材とを繋ぐように該下側部材上に立設した後方支持部材と、前記前方支持部材と前記後方支持部材との間に位置し、前記下側部材と前記上側部材とを繋ぐように該下側部材上に立設した一または二以上の中間支持部材と、前記前方支持部材、前記後方支持部材および前記中間支持部材の内、隣り合う部材どうしの間に形成され、前記アウトソールの長手方向を横断すると共に略水平方向に貫通する間隙とを有し、前記下側部材、前記上側部材、前記前方支持部材、前記後方支持部材および前記中間支持部材は、可撓性を有する材料により形成され、前記前方支持部材、前記後方支持部材および前記中間支持部材のそれぞれは、前記上側部材と前記下側部材との間において内足側から外足側に亘って設けられ、前記後方支持部材と、この後方支持部材に隣り合う前記中間支持部材との間に形成される間隙の前記アウトソールの長手方向に沿った寸法は、前記中間支持部材と前記前方支持部材の内、隣り合う部材どうしの間に形成される間隙の前記アウトソールの長手方向に沿った寸法よりも長い履物である。
【０００９】
請求項４に係る発明は、請求項１〜３記載の履物において、上側部材および下側部材は、アウトソールの長手方向に沿ってアーチ状に形成されているものである。
【発明の効果】
【００１０】
請求項１に記載の履物によれば、ミッドソールは、アウトソール上に設けられた下側部材と、この下側部材上方に間隔をあけて設けられ該下側部材に略平行な上側部材と、前記下側部材の前端近傍に位置し、該下側部材と前記上側部材とを繋ぐように該下側部材上に立設した前方支持部材と、前記下側部材の後端近傍に位置し、該下側部材と前記上側部材とを繋ぐように該下側部材上に立設した後方支持部材と、前記前方支持部材と前記後方支持部材との間に形成され、前記アウトソールの長手方向を横断すると共に略水平方向に貫通する間隙とを有し、前記下側部材、前記上側部材、前記前方支持部材および前記後方支持部材は、可撓性を有する材料により形成され、前記前方支持部材および前記後方支持部材のそれぞれは、前記上側部材と前記下側部材との間において内足側から外足側に亘って設けられているため、歩行における接地時にあっては、体重のかかる上側部材の迅速な撓みにより、足への衝撃負荷を素早く吸収することができ、離地時にあっては、荷重の解除により迅速に復元し、次回接地時の衝撃吸収に迅速かつ確実に対応することができると共に、ミッドソール自身にシャンクとしての補強機能を付与することができる。
【００１１】
請求項２に記載の履物によれば、ミッドソールは、アウトソール上に設けられた下側部材と、この下側部材上方に間隔をあけて設けられ該下側部材に略平行な上側部材と、前記下側部材の前端近傍に位置し、該下側部材と前記上側部材とを繋ぐように該下側部材上に立設した前方支持部材と、前記下側部材の後端近傍に位置し、該下側部材と前記上側部材とを繋ぐように該下側部材上に立設した後方支持部材と、前記前方支持部材と前記後方支持部材との間に位置し、前記下側部材と前記上側部材とを繋ぐように該下側部材上に立設した一または二以上の中間支持部材と、前記前方支持部材、前記後方支持部材および前記中間支持部材の内、隣り合う部材どうしの間に形成され、前記アウトソールの長手方向を横断すると共に略水平方向に貫通する間隙とを有し、前記下側部材、前記上側部材、前記前方支持部材、前記後方支持部材および前記中間支持部材は、可撓性を有する材料により形成され、前記前方支持部材および前記後方支持部材のそれぞれは、前記上側部材と前記下側部材との間において内足側から外足側に亘って設けられているため、歩行における接地時にあっては、体重のかかる上側部材の迅速な撓みにより、足への衝撃負荷を素早く吸収することができ、離地時にあっては、荷重の解除により迅速に復元し、次回接地時の衝撃吸収に迅速かつ確実に対応することができると共に、ミッドソール自身にシャンクとしての補強機能を付与することができ、加えて、中間支持部材は、上側部材と下側部材との間において外足側または内足側に片寄せて設けられているため、履物を履いたときに該履物の踵部が内足側または外足側に向かって下降するように傾斜を生じ、この傾斜により膝関節を内側または外側に移動させてＯ脚またはＸ脚を補正することができる。
【００１２】
請求項３に記載の履物によれば、ミッドソールは、前記アウトソール上に設けられた下側部材と、この下側部材上方に間隔をあけて設けられ該下側部材に略平行な上側部材と、前記下側部材の前端近傍に位置し、該下側部材と前記上側部材とを繋ぐように該下側部材上に立設した前方支持部材と、前記下側部材の後端近傍に位置し、該下側部材と前記上側部材とを繋ぐように該下側部材上に立設した後方支持部材と、前記前方支持部材と前記後方支持部材との間に位置し、前記下側部材と前記上側部材とを繋ぐように該下側部材上に立設した一または二以上の中間支持部材と、前記前方支持部材、前記後方支持部材および前記中間支持部材の内、隣り合う部材どうしの間に形成され、前記アウトソールの長手方向を横断すると共に略水平方向に貫通する間隙とを有し、前記下側部材、前記上側部材、前記前方支持部材、前記後方支持部材および前記中間支持部材は、可撓性を有する材料により形成され、前記前方支持部材、前記後方支持部材および前記中間支持部材のそれぞれは、前記上側部材と前記下側部材との間において内足側から外足側に亘って設けられているため、歩行における接地時にあっては、体重のかかる上側部材の迅速な撓みにより、足への衝撃負荷を素早く吸収することができ、離地時にあっては、荷重の解除により迅速に復元し、次回接地時の衝撃吸収に迅速かつ確実に対応することができると共に、ミッドソール自身にシャンクとしての補強機能を付与することができ、加えて、後方支持部材と、この後方支持部材に隣り合う中間支持部材との間に形成される間隙のアウトソールの長手方向に沿った寸法は、前記中間支持部材と前方支持部材の内、隣り合う部材どうしの間に形成される間隙の前記アウトソールの長手方向に沿った寸法よりも長いため、履物を履いたときに踵部を過剰に沈み込ませることにより、歩行時の足を踏み出す負荷を増やして運動効果を高めることができる。
【００１３】
請求項４に記載の発明によれば、請求項１〜３記載の履物の効果に加え、上側部材および下側部材は、アウトソールの長手方向に沿ってアーチ状に形成されているため、歩行における接地時にあって、材料自体の有する可撓性と、アーチの撓みによる緩衝作用とが相俟って、より一層接地時の足への衝撃負荷を軽減することができる。
【図面の簡単な説明】
【００１４】
【図１】本発明に係る履物の第１の実施例を示した概略図であり、図１（ａ）は側面図を、図１（ｂ）は底面図をそれぞれ示している。
【図２】図１のＸ−Ｘ線で切断した概略的縦断面図を示している。
【図３】図１のミッドソールを示した概略図であり、図３（ａ）は平面図を、図３（ｂ）は側面図を、図３（ｃ）は図３（ａ）のＹ１−Ｙ１線で切断した縦断面図を、図３（ｄ）は図３（ａ）のＹ２−Ｙ２線で切断した縦断面図をそれぞれ示している。
【図４】図１の作用効果を説明するための概略図であり、図４（ａ）は接地前の図を、図４（ｂ）は接地したときの図をそれぞれ示している。
【図５】本発明に係る履物の第２の実施例を示した概略図であり、図５（ａ）は側面図を、図５（ｂ）は底面図をそれぞれ示している。
【図６】図５のＸ’−Ｘ’線で切断した概略的縦断面図を示している。
【図７】図５のミッドソールを示した概略図であり、図７（ａ）は平面図を、図７（ｂ）は側面図を、図７（ｃ）は図７（ａ）のＹ１’−Ｙ１’線で切断した縦断面図を、図７（ｄ）は図７（ａ）のＹ２’−Ｙ２’線で切断した縦断面図をそれぞれ示している。
【図８】図５の作用効果を説明するための概略的断面図であり、図８（ａ）は履物を履く前の図を、図８（ｂ）は履物を履いたときの図をそれぞれ示している。
【図９】図５の作用効果を説明するための概略図である。
【図１０】本発明に係る履物の第２の実施例の変形例を示した概略図であり、図１０（ａ）は側面図を、図１０（ｂ）は底面図をそれぞれ示している。
【図１１】図１０のＸ”−Ｘ”線で切断した概略的縦断面図を示している。
【図１２】図１０の作用効果を説明するための概略的断面図であり、図１２（ａ）は履物を履く前の図を、図１２（ｂ）は履物を履いたときの図をそれぞれ示している。
【図１３】図１０の作用効果を説明するための概略図である。
【図１４】本発明に係る履物の第３の実施例を示した概略図であり、図１４（ａ）は側面図を、図１４（ｂ）は底面図をそれぞれ示している。
【図１５】図１４の作用効果を説明するための概略図であり、図１５（ａ）は接地前の図を、図１５（ｂ）は接地したときの図をそれぞれ示している。
【発明を実施するための形態】
【００１５】
本発明の第１の実施例を、サンダルを例にとり、図１〜図４を参照して説明する。図１において、Ａは本発明に係る履物であり、履物Ａは、概略的に、アウトソール１と、インソール２と、ミッドソール３とにより構成されている。
【００１６】
アウトソール１は、地面に直接接地するものであり、滑り止め、耐摩耗性、衝撃吸収性等の特性を有するもので、例えば、ポリウレタンやエチレン酢酸ビニル共重合体（ＥＶＡ）の発泡体、合成ゴム、生ゴム、ポリ塩化ビニル（ＰＶＣ）などにより形成されている。
【００１７】
インソール２は、アウトソール１上方に設けられるもので、例えば図２に示したように、中底２１と中敷２２とにより構成され、履物Ａを履いたときに足裏が直接接触するため、履き心地が良くなるように、例えば、ポリウレタンやエチレン酢酸ビニル共重合体（ＥＶＡ）の発泡体、合成皮革、フェルトなど、柔軟性を有する部材により形成されている。なお、図１、図２において、４は甲被部材であり、足の甲を覆うように係合して履物Ａを足に固定するもので、甲被部材４の端部は、インソール２の中底２１と中敷２２との間に挟持され、接着剤により接着されている。
【００１８】
ミッドソール３は、図１（ａ）に示したように、インソール２とアウトソール１との間であって少なくとも踵部に位置する部位に設けられている（図１では、踵部に設けたものを例示）。
【００１９】
このミッドソール３は、図３（ａ）〜（ｄ）に示したように、アウトソール１上に設けられた下側部材３１と、この下側部材３１上方に間隔をあけて設けられ該下側部材３１に略平行な上側部材３２と、下側部材３１の前端近傍に位置し、該下側部材３１と上側部材３２とを繋ぐように該下側部材３１上に立設した前方支持部材３３と、下側部材３１の後端近傍に位置し、該下側部材３１と上側部材３２とを繋ぐように該下側部材３１上に立設した後方支持部材３４とを有し、これら前方支持部材３３および後方支持部材３４のそれぞれは、図３（ａ）、（ｃ）に示したように、上側部材３２と下側部材３１との間において内足側から外足側に亘って設けられている。
【００２０】
また、前方支持部材３３と後方支持部材３４との間には、図１（ａ）、図３（ｂ）、（ｄ）に示したように、アウトソール１の長手方向（履物Ａの前足と後足とを結ぶ方向）を横断すると共に略水平方向に貫通する間隙３６が形成されている。
【００２１】
また、下側部材３１、上側部材３２、前方支持部材３３および後方支持部材３４は、ミッドソール３自身が弾性変形して接地時に足にかかる衝撃を吸収するように、可撓性を有する材料、例えば、サーモポリウレタン（ＴＰＵ）、ポリアミド（ＰＡ）、ポリオキシメチレン（ＰＯＭ）、熱可塑性ゴム（ＴＰＲ）、ポリカーボネイト（ＰＣ）、エチレン酢酸ビニル共重合体（ＥＶＡ）、ポリスチレン（ＰＳ）、ポリ塩化ビニル（ＰＶＣ）、ポリエチレンテレフタレート（ＰＥＴ）や、ポリプロピレン（ＰＰ）、ポリエチレン（ＰＥ）等のポリオレフィンなどにより形成されている。
【００２２】
なお、これら下側部材３１、上側部材３２、前方支持部材３３および後方支持部材３４は、それぞれ別体として成形し、接着剤等により接着するものでもよく、あるいは、成形型を用いて一体物として成形するようにしてもよい。
【００２３】
次に、上述のように構成された第１の実施例に係る履物Ａの作用効果について、図４を参照して説明する。図４（ａ）は履物Ａを履いて地面Ｇに接地する前の状態を、図４（ｂ）は地面Ｇに接地したときの状態をそれぞれ示した概略的側面図であり、履物Ａの接地に際し、ミッドソール３の上側部材３２が歩行者の体重により下方に撓んで変形し足への衝撃負荷を素早く吸収する。
【００２４】
つまり、ミッドソール３は可撓性を有する材料により形成され、下側部材３１と上側部材３２とは、前足側を前方支持部材３３により、後足側を後方支持部材３４によりそれぞれ繋がれて支持されていると共に、上側部材３２は、下側部材３１上方に間隔をあけて設けられ、該下側部材３１に略平行に形成されているため、間隙３６上方に位置する上側部材３２が、地面Ｇへの接地時に下側部材３１に向かって変位し、この変位の量に比例して、すなわち、踏み込み量に応じて反作用により上方への力が働くもので、荷重に対する応答性が良く、足ｆに急激な負荷がかかるのを防いで衝撃を吸収することができる。
【００２５】
次に、第２の実施例について図５〜図１３を参照して説明する。図５〜図７において、３５は中間支持部材を示しており、この実施例にあっては第１の実施例とは中間支持部材３５を有する点で異なるものである。なお、同一部分には同一符号を付して示し、その詳細な説明は省略する。
【００２６】
この中間支持部材３５は、前方支持部材３３と後方支持部材３４との間に位置し、下側部材３１と上側部材３２とを繋ぐように該下側部材３１上に立設するもので、ミッドソール３は、一または二以上の中間支持部材３５を有する（図５、図７では、４個あるものを例示）。なお、中間支持部材３５は、下側部材３１等と同様の可撓性を有する材料により形成され、該下側部材３１等と一体物または別体として設けられている。
【００２７】
また、中間支持部材３５は、図５〜図７に示したように、上側部材３２と下側部材３１との間において外足側に片寄せて設けられていると共に、ミッドソール３は、前方支持部材３３、後方支持部材３４および中間支持部材３５、３５、・・の内、隣り合う部材どうしの間に形成され、アウトソール１の長手方向を横断すると共に略水平方向に貫通する間隙３６、３６、・・とを有している。
【００２８】
次に、上述のように構成された第２の実施例に係る履物Ａの作用効果について、図８、図９を参照して説明する。図８（ａ）は履物Ａを履く前の概略的断面図を、図８（ａ）は履物Ａを履いたときの概略的断面図をそれぞれ示しており、間隙３６、３６、・・により地面Ｇへの接地時に上側部材３２が下方に向かって撓み、足へかかる衝撃を吸収すると共に、中間支持部材３５の片寄せにより上側部材３２と下側部材３１との間の内足側に空間３６ａが形成されている分、履物Ａを履いたときに上側部材３２が内足側に向かって下降するように傾斜を生じ、この傾斜によりＯ脚を補正することができる。
【００２９】
この作用効果を具体的に示した概略図が図９であり、本図に示したように、履物Ａを履くことにより足ｆが上側部材３２の傾斜に沿って内足側に沈み込み、脚Ｌの膝関節Ｋ、Ｋが内側（矢印ｄ１の方向）に移動してＯ脚が補正される。
【００３０】
なお、図１０、図１１にあっては、中間支持部材３５が、上側部材３２と下側部材３１との間において内足側に片寄せて設けられているものを示しており、ミッドソール３は、上述した実施例と同様に、前方支持部材３３、後方支持部材３４および中間支持部材３５、３５、・・の内、隣り合う部材どうしの間に形成され、アウトソール１の長手方向を横断すると共に略水平方向に貫通する間隙３６、３６、・・とを有している。
【００３１】
この例の作用効果を具体的に示した概略図が図１２、図１３であり、本図に示したように、中間支持部材３５の片寄せにより上側部材３２と下側部材３１との間の外足側に空間３６ｂが形成されている分、履物Ａを履いたときに足ｆが上側部材３２の傾斜に沿って外足側に沈み込み、脚Ｌの膝関節Ｋ、Ｋが外側（矢印ｄ２の方向）に移動してＸ脚が補正される。
【００３２】
次に、第３の実施例について図１４、図１５を参照して説明する。この実施例にあっては第２の実施例とは、中間支持部材３５、３５、・・および間隙３６、３６、・・の構成が異なるもので、中間支持部材３５は、図１４（ｂ）に示したように、上側部材３２と下側部材３１との間において内足側から外足側に亘って設けられていると共に、後方支持部材３４と、この後方支持部材３４に隣り合う中間支持部材３５との間に形成される間隙３６” （３６）のアウトソール１の長手方向に沿った寸法Ｌ１が、中間支持部材３５と前方支持部材３３の内、隣り合う部材どうしの間に形成される間隙３６’（３６）、３６’（３６）、・・のアウトソール１の長手方向に沿った寸法Ｌ２、Ｌ３、・・よりも長くなるように形成されている（図１４、図１５では、中間支持部材３５を２個設けたものを例示）。
【００３３】
この例の作用効果を具体的に示した概略図が図１５であり、図１５（ａ）は履物Ａを履いて地面Ｇに接地する前の状態を、図１５（ｂ）は地面Ｇに接地したときの状態をそれぞれ示したもので、履物Ａの接地に際し、ミッドソール３の上側部材３２の内、後足側の部位（踵部）が歩行者の体重により下方に撓んで過剰に沈み込むことにより、歩行時の足ｆを踏み出す負荷を増やして運動効果を高めることができる。
【００３４】
ところで、上述した上側部材３２および下側部材３１は、図３（ｂ）、（ｄ）、図７（ｂ）、（ｄ）に示したように、アウトソール１の長手方向に沿ってアーチ状に形成してもよく、ミッドソール３を構成する材料自体が有する可撓性と、アーチの撓みによる緩衝作用とが相俟って、より一層接地時の足への衝撃負荷を軽減することができる。
【００３５】
なお、上述した第１〜第３の実施例にあっては、サンダルを例にとって説明したが、スニーカーやパンプス、ブーツなど各種履物に適用してもよい。また、ミッドソール３を設ける部位を履物Ａの踵部とした例を示したが、土踏まず部から踵部に亘って、あるいは、つま先部から踵部に亘って設けてもよい。また、アウトソール1とミッドソール３とを別体として形成したものを示したが、これらアウトソール1とミッドソール３とを一体として形成するようにしてもよい。さらに、前方支持部材３３、後方支持部材３４および中間支持部材３５は、中実の部材に限定されるものではなく、中空の部材により形成してもよい。また、第２および第３の実施例にあっては、中間支持部材３５の数を適宜変更してもよく、片寄せる度合いも脚Ｌの補正の程度に合わせて適宜設定することができる。
【符号の説明】
【００３６】
Ａ        履物
１        アウトソール
２        インソール
３        ミッドソール
３１      下側部材
３２      上側部材
３３      前方支持部材
３４      後方支持部材
３５      中間支持部材
３６      間隙
３６ａ、３６ｂ  空間
【図１】
2010253128.tif 000003
【図２】
2010253128.tif 000004
【図３】
2010253128.tif 000005
【図４】
2010253128.tif 000006
【図５】
2010253128.tif 000007
【図６】
2010253128.tif 000008
【図７】
2010253128.tif 000009
【図８】
2010253128.tif 000010
【図９】
2010253128.tif 000011
【図１０】
2010253128.tif 000012
【図１１】
2010253128.tif 000013
【図１２】
2010253128.tif 000014
【図１３】
2010253128.tif 000015
【図１４】
2010253128.tif 000016
【図１５】
2010253128.tif 000017